(57)【要約】【課題】オーディオ信号の音量データを検出する。【解決手段】システムは、オーディオ信号を受信するオーディオ入力と、そのオーディオ信号の音量を連続的に測定するように構成された音量測定器と、音量データログ内に測定された音量データを記録するように構成されたデータロガーを含んでいる。このシステムは、また、ログされた音量データを受信してそのデータに基づいて評価をするログ分析器を含むこともある。ログ分析器は、音量データログを受信するように構成されたログ入力と、音量データログ内のデータが音量違反が起こったことを示しているかを決定するように構成された違反モジュールを含んでいる。【選択図】  図１
2014087072.tif 000002
【特許請求の範囲】
【請求項１】
テレビジョン番組配信者からの音量データを評価するシステムであって、そのシステムが、ログ発生器からなり、該ログ発生器が、
番組配信者からオーディオ信号をオーディオデータ形式で受信するように構成されたオーディオ入力と、
所定の積分期間に亘ってそのオーディオ信号の音量を連続的に測定するように構成された音量測定器と、
音量データログ内に測定された音量データを記録するように構成されたデータロガーからなるシステム。
【請求項２】
更に、音量データログを受信するように構成されたログ入力と、
音量データログ内のデータが音量違反が起こったことを示しているかを決定するように構成された違反モジュールを含むログ分析器からなる前記請求項１に記載の音量データを評価するシステム。
【請求項３】
更に、音量データログと関連のある番組情報を受信するように構成されたプレイログ入力からなり、そして、違反モジュールが番組情報の特定部分と音量違反を関連づけるように構成されている前記請求項２に記載の音量データを評価するシステム。
【請求項４】
データロガーが、更に、音量データログ内に、ショートターム測定された音量データとゲート付きラウドネスデータのうちの少なくとも一つを保存するように構成されており、そして、違反モジュールが、更に、音量データログ内のデータがショートタームの音量違反又はゲート付きラウドネス違反が起こったことを示しているかを決定するように構成されている前記請求項３に記載の音量データを評価するシステム。
【請求項５】
オーディオ入力ストリームの測定された音量データを含む音量データログを受信するように構成されたログ入力と、
音量データログと関連のある番組情報を受信するように構成された入力と、
音量データログ内のデータが音量違反が起こったことを示しているかを決定するように構成され、更に、番組情報の特定の部分と音量違反を関連づけるように構成された違反モジュールとからなる、
音量データを評価するためのデータログ分析器。
【請求項６】
音量データログが、更に、オーディオ入力ストリームのショートターム測定された音量データとゲート付きラウドネスデータを含んでおり、そして、違反モジュールがショートタームの音量データ及びゲート付きラウドネスデータを分析して違反が起こったことを決定するように構成されている前記請求項５に記載の音量データを評価するためのデータログ分析器。
【請求項７】
オーディオ信号を受信することと、
一定の間隔においてオーディオ信号の音量データを測定することと、
音量データログ内に測定された音量データを記録することからなる音量データを測定して報告する方法。
【請求項８】
更に、音量データログ内に、ショートターム測定された音量データと、ダイアログ正規化値と、ゲート付きラウドネスデータと、タイムスタンプと、トゥルーピークレベルと、タイムコード情報のうちの少なくとも一つを保存することからなる前記請求項７に記載の音量データを測定して報告する方法。
【請求項９】
オーディオデータの形式でオーディオ信号を受信することと、
オーディオデータが再生のために送信された期間に対応するプレイアウトデータを受信することと、
オーディオ信号の音量データを測定することと、
音量データログ内に測定された音量データを記録することと、
測定された音量データが保存された後で、音量データログにアクセスすることと、
音量データログ内のデータを比較して潜在的な音量違反を特定することと、
特定された潜在的な音量違反をプレイアウトデータ内の特定期間に関連づけることからなる自動的に音量違反を検出する方法。
【発明の詳細な説明】
【技術分野】
【０００１】
本発明は、オーディオストリームの音量を測定することに関し、より特には、オーディオ番組／サービス全体を保管する必要なく、保管されたオーディオ音量データからオーディオ音量測定が記録及び分析されることを可能にする方法に関する。
【背景技術】
【０００２】
マルチ−ビデオ  プログラム  ディストリビュータ（ＭＶＰＤ）と共に称されるケーブルテレビジョン及び衛星テレビジョンプロバイダーは、一般的にそれらが提供するコンテンツの多くを生み出すことはせず、主にパススルーサービスである。その代わりに、ザディスカバリーチャンネル（ＴＨＥ  ＤＩＳＣＯＶＥＲＹ  ＣＨＡＮＮＥＬ）のようなコンテンツプロバイダーは、配信されたコンテンツにエンベッドされた広告及びプロモーションのスポットを含む（エンベッドされた広告）、視聴者によってみられる番組のうちの広範な部分を生み出している。一般的に、ＭＶＰＤは、多数のネットワークから特定の番組を得て、ローカルな広告を混合し、マルチチャンネルに多重化して単独の搬送ストリームにし、そして、その搬送ストリームを利用者に配信している。
【０００３】
コンテンツ又は広告を作成するとき、音は通常混合されて画像と一緒となる。ときには、番組の一つの部分において音が他の箇所に比べてより高く、又は、より大きなレベルでプレイされるように混ぜられ又は設定されている場合がある。最も大きな代表的なのは、番組が中断されたとき、又は、コマーシャルやプロモーションや他の間隙プログラムから戻ったときに音レベルを変更することである。ある種の広告がローカルに挿入されてはいることがあるけれども、番組中にこれらの多くの中断が、ローカルケーブルプロバイダーよりもむしろ、ケーブルネットワークそれ自体によって提供されていることを思い出してください。デジタルテレビジョンによって提供されたワイドなオーディオダイナミックレンジを利用し、主なる番組よりも大きなオーディオレベルでコマーシャルを混合することは、それらをより目立たたせ視聴者の気をより引くために、業界において共通のプラクティスであった。
【０００４】
コマーシャルを主なる番組よりも大きなレベルに設定させるプラクティスは普及され、多くの利用者の不平の後に、米国議会は商業広告音量軽減（ＣＡＬＭ）法を通過させてこのプラクティスを停止するように試みている。ＣＡＬＭ法は、基本的に、非番組コンテンツがロング形式又は番組のコンテンツとすべて同じ音量で提供されるべきであると明記している。
【０００５】
ＣＡＬＭ法の遵守は難しい。なぜならば、ケーブルテレビジョンプロバイダーはこの法律によって遵守しなくてはならないが、ケーブルテレビジョンプロバイダーは番組作成を制御しているわけではないからである。それは、その代わりに、コンテンツプロバイダーによって制御され、コンテンツプロバイダーの多くは放送会社ではなく、従って、米連邦通信委員会（ＦＣＣ）の取り締まり権限の範囲外にある。多くの場合、コンテンツプロバイダーはエンベッドされた広告が番組内のどこに挿入されているかを特定することすらしていない。したがって、ケーブルプロバイダー自体もまた遵守していることを保証することに加えて、音量の大きなコマーシャルに対するケーブルネットワークストリームをモニタするのはケーブルプロバイダーまでである。
【０００６】
ＦＣＣは、「スポットチェック（無作為抽出検査）」として知られる手順を特定しているＦＣＣレポート及び規則１１−１８２のような規則制定をし、ＣＡＬＭ法に従うときのケーブルプロバイダーを援助している。スポットチェックは、ケーブルプロバイダーを呼び出しそのサービスからチャンネルのうちの一つを無作為に選択し、２４時間の間そのチャンネルの音量をモニタする。国際電気通信連合（ＩＴＵ）．Ｒ  ＢＳ−１７７０や欧州放送連合（ＥＢＵ）Ｒ／１２８や高度テレビジョン・システムズ委員会（ＡＴＳＣ）Ａ／８５のような規格によって特定される音量アルゴリズムは、「ロングターム」又は「無限」音量測定を特定しており、それはアプリオリな番組境界の知識、すなわち、非番組材料の境界を必要とする。
【先行技術文献】
【特許文献】
【０００７】
【特許文献１】特開２０１３−２２３１３０号公報
【特許文献２】特開２０１３−０９８９５１号公報
【非特許文献】
【０００８】
【非特許文献１】Ｗｉｋｉｐｅｄｉａによる「Ｄｉａｌｎｏｒｍ」の説明、インターネット＜ｈｔｔｐ：／／ｅｎ．ｗｉｋｉｐｅｄｉａ．ｏｒｇ／ｗｉｋｉ／Ｄｉａｌｎｏｒｍ＞［ｏｎｌｉｎｅ］［２０１３年１０月２８日サーチ］
【発明の概要】
【発明が解決しようとする課題】
【０００９】
しかしながら、上記のように、ＭＶＰＤのプロバイダーは、かならずしも、それ自体が番組境界を知っているわけではなく、番組境界はコンテンツプロバイダーによって制御されていることもある。したがって、ロングタームよりむしろそれにかわってショートタームの測定が通常行われているが、しかし、ショートターム測定はロングターム測定ほど正確ではない。それらのショートターム測定は、結局コンテンツプロバイダーによってなされたロングターム測定に近似するだけである。被測定音量が所定の閾値を越える場合、このことは過度の音量すなわち音量違反と見なされる。ショートターム測定中に音量違反が生じたときには、プロバイダーはコマーシャル中に潜在的な音量違反が生じたか否かを判断するようにサポートされ、そして、もしそうであれば、ロングターム測定でその事実を確認する。このように確認することは、ケーブルプロバイダーが、通常の条件の下ではケーブルプロバイダーが一般的に保存しないオリジナルのオーディオコンテンツを利用できるようにすることを一般的に必要とする。
【００１０】
本発明の実施の形態は先行技術のこれらの及び他の制約を解消する。
【課題を解決するための手段】
【００１１】
本発明の実施の形態は、音量データを評価するためのシステムを含んでいる。そのシステムは、オーディオ信号を受信するオーディオ入力と、そのオーディオ信号の音量を連続的に測定するように構成された音量測定器と、音量データログ内に測定された音量データを記録するように構成されたデータロガーを含んでいる。このシステムの他の実施の形態は、ログされた音量データを受信してそのデータに基づいて評価をするログ分析器を含むこともある。このログ分析器は、音量データログを受信するように構成されたログ入力と音量データログ内のデータが音量違反が起こったことを示しているかを決定するように構成された違反モジュールを含んでいる。
【００１２】
他の実施の形態は、オーディオ違反を自動的に検出する方法を含んでいる。この方法は、オーディオデータ形式でオーディオ信号を受信ことと、オーディオデータが再生のために送信された期間に対応するプレイアウトデータを受信することも含むこともある。次いで、この方法は、オーディオ信号の音量データを測定し、そして、音量データログに測定された音量データを記録する。そして、ログ分析器は被測定音量データが保存された後で音量データログにアクセスし、音量データログ内のデータを閾値と比較して潜在的な音量違反を見分ける。ある実施の形態においては、その見分けられた潜在的な音量違反がプレイアウトデータ内の特定の期間に関連づけられる。
【００１３】
本発明の第１の基本理念は、テレビジョン番組配信者からの音量データを評価するシステムであり、そのシステムが、ログ発生器からなり、該ログ発生器が、
番組配信者からオーディオ信号をオーディオデータ形式で受信するように構成されたオーディオ入力と、
所定の積分期間に亘ってそのオーディオ信号の音量を連続的に測定するように構成された音量測定器と、
音量データログ内に測定された音量データを記録するように構成されたデータロガーを含んでいるシステムである。
【００１４】
本発明の第２の基本理念は、上記第１の音量データを評価するシステムにおいて、データロガーが、所定の積分期間毎に１回を越える割合で音量データログ内の被測定音量データを記録することである。
【００１５】
本発明の第３の基本理念は、上記第１の音量データを評価するシステムにおいて、データロガーが、更に、音量データログ内に、ショートターム測定された音量データと、ダイアログ正規化（ｄｉａｌｎｏｒｍ）値と、ゲート付きラウドネスデータ（ｇａｔｅｄ  ｌｏｕｄｎｅｓｓ  ｄａｔａ）とタイムスタンプ（ｔｉｍｅｓｔａｍｐ）とトゥルーピークレベル（ｔｒｕｅ  ｐｅａｋ  ｌｅｖｅｌ）とタイムコード情報のうちの少なくとも一つを保存するように構成されていることである。
【００１６】
本発明の第４の基本理念は、上記第１の基本理念の音量データを評価するシステムにおいて、更に、音量データログを受信するように構成されたログ入力と、
音量データログ内のデータが音量違反が起こったことを示しているかを決定するように構成された違反モジュールを含むログ分析器からなることである。
【００１７】
本発明の第５の基本理念は、上記第１の基本理念の音量データを評価するシステムにおいて、更に、音量データログと関連のある番組情報を受信するように構成されたプレイログ（ｐｌａｙｌｏｇ）入力からなり、そして、違反モジュールが番組情報の特定部分と音量違反を関連づけるように構成されていることである。
【００１８】
本発明の第６の基本理念は、上記第５の基本理念の音量データを評価するシステムにおいて、データロガーが、更に、音量データログ内に、ショートターム測定された音量データとゲート付きラウドネスデータ（ｇａｔｅｄ  ｌｏｕｄｎｅｓｓ  ｄａｔａ）のうちの少なくとも一つを保存するように構成されており、そして、違反モジュールが、更に、音量データログ内のデータがショートタームの音量違反又はゲート付きラウドネス違反が起こったことを示しているかを決定するように構成されていることである。
【００１９】
本発明の第７の基本理念は、
オーディオ入力ストリームの測定された音量データを含む音量データログを受信するように構成されたログ入力と、
音量データログと関連のある番組情報を受信するように構成された入力と、
音量データログ内のデータが音量違反が起こったことを示しているかを決定するように構成され、更に、番組情報の特定の部分と音量違反を関連づけるように構成された違反モジュールとからなる、
音量データを評価するためのデータログ分析器である。
【００２０】
本発明の第８の基本理念は、上記第７の基本理念の音量データを評価するためのデータログ分析器において、音量データログが、更に、オーディオ入力ストリームのショートターム音量測定値とゲート付きラウドネス測定値を含み、違反モジュールがショートターム音量データとゲート付きラウドネス測定値を分析して違反が起こったかを決定するように構成されていることである。
【００２１】
本発明の第９の基本理念は、上記第７の基本理念の音量データを評価するためのデータログ分析器において、音量データログが、更に、一又はそれ以上のメタデータ、タイムスタンプ、タイムコード及び同期データからなることである。
【００２２】
本発明の第１０の基本理念は、音量データを測定して報告する方法であり、その方法は、
オーディオ信号を受信することと、
一定の間隔においてオーディオ信号の音量データを測定することと、
音量データログ内に測定された音量データを記録することからなることである。
【００２３】
本発明の第１１の基本理念は、上記第１０の基本理念の音量データを測定して報告する方法において、測定された音量データを記録する起きることが間隔毎に一つのデータ値を越える割合で記録することからなることである。
【００２４】
本発明の第１２の基本理念は、上記第１０の基本理念の音量データを測定して報告する方法において、更に、音量データログ内に、ショートターム測定された音量データと、ダイアログ正規化値と、ゲート付きラウドネスデータと、タイムスタンプと、トゥルーピークレベルと、タイムコード情報のうちの少なくとも一つを保存することからなることである。
【００２５】
本発明の第１３の基本理念は、
オーディオデータの形式でオーディオ信号を受信することと、
オーディオデータが再生のために送信された期間に対応するプレイアウトデータを受信することと、
オーディオ信号の音量データを測定することと、
音量データログ内に測定された音量データを記録することと、
測定された音量データが保存された後で、音量データログにアクセスすることと、
音量データログ内のデータを比較して潜在的な音量違反を特定することと、
特定された潜在的な音量違反をプレイアウトデータ内の特定期間に関連づけることからなる自動的に音量違反を検出する方法である。
【００２６】
本発明の第１４の基本理念は、上記第１３の基本理念の自動的に音量違反を検出する方法において、更に、音量データログ内に、ショートターム測定された音量データと、ダイアログ正規化値と、ゲート付きラウドネスデータと、タイムスタンプと、トゥルーピークレベルと、タイムコード情報のうちの少なくとも一つを保存することからなることである。
【００２７】
本発明の第１５の基本理念は、上記第１４の基本理念の自動的に音量違反を検出する方法において、音量データログ内のデータを比較して潜在的な音量違反を特定することがショートターム測定された音量データを比較するからなることである。
【００２８】
本発明の第１６の基本理念は、上記第１４の基本理念の自動的に音量違反を検出する方法において、音量データログ内のデータを比較して潜在的な音量違反を特定することがゲート付きラウドネスデータを比較するからなることである。
【図面の簡単な説明】
【００２９】
【図１】図１は、本発明の実施の形態の音量ログ発生器と音量ログを分析するためのシステムを示す機能ブロック図である。
【図２】図２は、本発明の実施の形態の音量ログを発生して分析する方法の一例を示すフローチャートである。
【図３】図３は、本発明の実施の形態の、図１の音量ログ発生器の構成部分を示す機能ブロック図である。
【図４】図４は、本発明の実施の形態の、図１の音量ログ分析器の構成部分を示す機能ブロック図である。
【発明を実施するための形態】
【００３０】
図１は、本発明の実施の形態の音量ログ発生器と音量ログを分析するためのシステムを示す機能ブロック図である。
【００３１】
図１において、ケーブルテレビジョンプロバイダーは、たとえば、番組マルチプレクサ１１０を運転する。番組マルチプレクサ１１０は、ケーブルネットワーク又は他のソースのようなコンテンツプロバイダー１１２からオーディオ／ビデオコンテンツを受信する。ケーブルテレビジョンプロバイダーは、また、ローカルな広告１１４やタイムスタンプ及びタイムコードデータのような各種の同期データ１１６を、非同期式シリアルインタフェース（ＡＳＩ）のような物理接続によって運ばれる、搬送ストリーム１２０であるマルチプレクサ１１０からの最終的な出力に混合することもできる。搬送ストリーム１２０は、以下に説明するように、利用者に配信されるべきオーディオとビデオを含んでいる。番組マルチプレクサ１１０は、また、搬送ストリーム１２０のオーディオ及びビデオデータについての番組情報を含むプレイアウトリスト１３０を生成する。たとえば、プレイアウトリスト１３０は、番組のリストと関連時間と、ブレイクと、コマーシャルと、プロモーションスロットなどを含んでいる。
【００３２】
ケーブルプロバイダーからの搬送ストリーム１２０の配信は、業界で知られているような多くの形式をとることができる。搬送ストリーム１２０は、通信リンク１５０によってインテグレーテッドレシーバーデコーダー（ＩＲＤ）又はセットトップボックス（ＳＴＢ）１４０に送信され、それを通して、オーディオ／ビデオデータが受信されてテレビジョン又はモニター（図示せず）に表示される。他の実施の形態においては、搬送ストリーム１２０が、まず、ラジオ周波数（ＲＦ）変調器１６０に送信され、ケーブルテレビジョン配信ネットワーク１６２によって、更に、ＳＴＢ１４０に送信されるべく処理され、視聴者に配信することも可能である。
【００３３】
以下に説明するように、一般的に、本発明の実施の形態はオーディオ音量を測定し音量データをログファイル１７２に記録する音量測定及びログ器１７０を含んでいる。ログ分析器１８０は、ログファイルを読み込み、そして、音量違反を自動検索する。ログ分析器１８０は、また、プレイアウトリスト１３０又はオーディオファイルに音量データを関連づけし、一又はそれ以上の違反報告１８２を生成する他の情報を受信することもできる。これらの報告１８２は、好適には、違反発生時に搬送ストリーム１２０内で何が起こったのかを特定するプレイアウトリスト１３０からの十分な情報を含んでいる。搬送ストリーム１２０とプレイアウトリスト１３０双方のタイムスタンプは、たとえば、そのリストが関連づけされることを可能にする。このことは、当事者が、たとえば、主番組又はコマーシャルの間に違反が起こったか否かを決定することを可能にする。もし違反がコマーシャル中に起こった場合、違反報告１８２は、それがコンテンツプロバイダー１１２によって挿入されたコマーシャルであるか、ローカルなコマーシャル１１４であるか又は他の何かであるのかを決定するのに役立つこともある。
【００３４】
図２は、本発明の実施の形態の音量ログを発生して分析する方法の一例を示すフローチャート２００である。フロー２００は、オーディオデータ形式でオーディオ信号を受信することによってオペレーション２１０において始まる。下記のように、オーディオデータはデジタル形式でも可能であり、また、アナログ形式でもよい。次いで、オペレーション２３０は、オーディオ信号の音量データを測定し、そして、音量データはオペレーション２３０で音量データログに記録される。ある種の実施の形態においては、オーディオデータの音量は、４００ｍｓのゲートウィンドウに亘ってオペレーション２３０で測定され、一方、音量データは１００ｍｓ毎にデータログに記録されることもある。記録ウィンドウは、業界において知られているように、互いに重複することができる。他の測定期間又は他のデータをログする頻度も用いることができる。
【００３５】
オペレーション２５０によって示されているように、ショートターム測定された音量データと、ダイアログ正規化（ｄｉａｌｎｏｒｍ）値と、ゲート付きラウドネスデータ（ｇａｔｅｄ  ｌｏｕｄｎｅｓｓ  ｄａｔａ）と、タイムスタンプ（ｔｉｍｅｓｔａｍｐ）と、トゥルーピークレベル（ｔｒｕｅ  ｐｅａｋ  ｌｅｖｅｌ）と、タイムコード情報のような、オーディオ信号に関する別のデータもデータログに保存されうる。ショートターム測定された音量データは、一般的に、３−１０秒毎に一回の平均音量測定値を含んでいるが、一方、ゲート付きラウドネスデータは前もって濾過されており、ゲート付きラウドネスデータを用いる場合ある音量データのみが考慮される。トゥルーピークレベルは、特定の期間又はリセットされるまでにオーディオ信号が達する最高のレベルである。タイムスタンプとタイムコード情報は、図１に関連して上記の記載のように、ケーブルテレビジョンプロバイダー由来であってもよいし、音量測定ログ器自体によって発生されてもよい。
【００３６】
ある種の実施の形態においては、この方法は、音量違反についてログされたデータを分析することを含んでいる。たとえば、判定オペレーション２６０で違反又は潜在的な違反が見つかった場合、違反報告が発生されることがある。また、ログ分析器が、ログファイルにアクセスしたときに、プレイアウトリスト情報１３０（図１）にアクセスすることもできれば、この方法は特定された潜在的な音量違反をプレイアウトデータ内の特定の期間に関連づけすることもでき、そして、オペレーション２８０においてそのような情報を違反報告に提供することもできる。音量違反が起こったか否か及び音量違反が起こったときを確認しようとする場合、そのような違反報告は非常に役立つ。ある種の実施の形態においては、音量違反又は潜在的な違反がショートターム音量データ又はゲート付きラウドネスデータを分析するに起因するようにしてもよい。
【００３７】
図３は、本発明の実施の形態の、図１の音量ログ発生器の構成部分を示す機能ブロック図である。音量ログ発生器、すなわち、音量データを評価するためのシステム３００は、オーディオ信号をオーディオデータ形式で受信するように構成されたオーディオ入力を含むことがある。このオーディオ入力は、多くの形式をとることができる。たとえば、図１に戻って、ログ発生器がその一例である音量測定器１７０は、配信ネットワーク１６２から直接オーディオデータを受信することができるか、又は、搬送ストリーム１２０からも直接オーディオデータを受信することができる。他の実施の形態においては、音量測定器１７０は、ＳＴＢ１４０からオーディオデータを受信することができるが、それは多くの通信チャンネル又はプロトコルのいずれかを通してやってくる。たとえば、オーディオデータは、ドルビーデジタル社（ＤＯＬＢＹ  ＤＩＧＩＴＡＬ）からのポピュラーなデジタルＡＣ−３コードフォーマット、エンベッドされたオーディオ＋ＶＡＮＣ、又はパルスコード変調（ＰＣＭ）形式のような非圧縮形式で配信されている。
【００３８】
データ伝送のデジタルフォーマットのいくつかも、メタデータの送信又は送信中のデータに関する情報を明らかにするデータを含んでいる。たとえば、メタデータの一つの形式がダイアログ正規化値であり、それは再生機器のゲインを制御するためにＡＣ−３コーディングについて使用されたメタデータパラメータである。言い換えれば、ＡＣ−３コーディングは、コード化されたオーディオデータを送信しており、そして、ダイアログ正規化値は再生機器にどの程度の音量でデコードされたオーディオデータをプレイするのかを知らせている。
【００３９】
オーディオ情報がログ発生器によって受信されているので、音量測定器３２０は、所定の積分期間に亘ってオーディオ信号の音量を継続的に測定するように構成されている。上記のように、その期間は、それぞれ重複する４００ｍｓのゲート期間であり、若しくは、より短い期間であることもある。他の実施の形態においては、その期間はより長いこともある。そして、被測定データは、音量データログ内に被測定音量データを記録し、そして、出力としてログを発生するように構成されたデータロガー３４０へと通過される。
【００４０】
音量測定器３２０は、音量測定のための統合ウィンドウに影響する新たなゲートをどの程度の頻度で開くかを制御するために、周波数コントローラー３３０を含むか又はそれと連結することがある。（図示しない）同様のコントローラーが、ゲートウィンドウの幅を制御することもある。
【００４１】
同様に、データロガー３４０は、音量データがどの程度の頻度でログされるかを制御するために、周波数コントローラー３５０を含むか又はそれと連結することがある。ある実施の形態においては、音量データは１００ｍｓ毎にログされるか、又は、より頻繁になされうる。頻繁なログは音量データがより完全に分析されることを可能にする。
【００４２】
図示されてはいないけれども、データロガー３４０は、それ自体の同期又はタイムコード発生器、又は、図１に関連して説明したもののようなものを含むことがある。このやり方では、データロガーがそれ自身のタイムコード又は同期コードを発生して、データログ内に保存することが可能である。データロガー３４０によって発生された情報を保存することに加えて、データロガー３４０はデータログ内にデータロガーに利用可能な情報又はデータロガーがそのような情報から派生することのできる情報も保存することができる。たとえば、データロガー３４０は、データログ内への保存のために、ショートターム測定値、ゲート付き測定値、ダイアログ正規値情報、トゥルーピークレベル、一又はそれ以上のタイムスタンプ、タイムコード情報のいずれかを発生することができる。更に、ログ発生器が被測定オーディオ信号を伴うビデオに連結される場合にも、若しくは、そのようなビデオ情報が利用可能である場合にも、データロガー３４０はデータログ内にログされた情報に伴うビデオの小さな画像又はサムネイル画像を含むこともある。
【００４３】
データロガー３４０は比較的に長い時間、たとえば、一日又はそれ以上の期間、データをログすることができる。
【００４４】
音量測定器３２０、データロガー３４０、周波数コントローラー３４０、３５０のいずれも、専用のハードウェアによって実行することができ、又は、プロセッサー３９０によってその機能を達成することができる。そのような機能は関連したメモリ３８０内に保存されることもある。他の実施は、実施のために、ハードウェアとソフトウェアとプログラム可能な論理機器とデジタル信号プロセッサーなどの組み合わせを用いることができる。
【００４５】
図４は、本発明の実施の形態の、図１の音量ログ分析器の構成部分を示す機能ブロック図であると共に、データログ内に保存されうるデータ例を示している。
【００４６】
上記のように、測定及びログシステムから出力されたデータログ４１２は、第１に、ログされた被測定オーディオデータ４１４を含んでいる。他の任意のデータは、ログされた被測定オーディオデータ４１４と一緒に保存され、違反検出を容易且つより正確にすることができる。データログ４１２からの情報も違反報告をより正確にすることができる。上記のように、データログ４１２は、ショートターム測定値４３０と、ゲート付き測定値４３２と、ダイアログ正規化値４４０と、トゥルーピークレベル４５０と、一又はそれ以上のタイムスタンプ４６０と、タイムコード情報４７０を任意に含むことができる。結果として生じるログファイルは、この情報のいずれか又はログ分析器によって生成された、この情報から派生された情報のいずれかを含むことが可能である。
【００４７】
データログ４１２情報は、データログ分析器４００へと通過されてそれによって読み込まれる。データログ分析器４００は、被測定音量データ４１４を含む音量データログ４１２を受信するように構成されたログ入力を含んでいる。
【００４８】
データログに含まれた情報から、違反モジュール４１０は、音量データログ内のデータのいずれかが音量違反が起こったか又は潜在的な違反が起こったことを示しているかを決定するように構成されている。そのような違反又は潜在的な違反が起こると、報告発生器４２０は、違反報告を発生する。
【００４９】
違反が起こったか否かを決定するために、違反モジュール４１０は、単純にログされたデータ４１４と閾値を比較するか、又は、ログされたデータを用いて「再構成」するか、さもなければ、オリジナルのオーディオ信号又はその顕著な部分をシミュレートすることができる。
【００５０】
ある実施の形態においては、番組データ１３０（図１）がデータログ分析器４００に入力されるが、それは報告発生器が潜在的な違反の違反が起こったときと番組データを関連づけすることを可能にする。
【００５１】
このように、違反モジュール４１０と番組データ１３０を含む報告発生器４２０の組み合わせを用いることによって、ログ分析器４００は、オーディオデータ自体すべてを保存する必要を要求することなく、スポットチェックに用いられるロングターム音量測定と同じ情報を効果的に生成することができる。
【００５２】
ある実施の形態においては、報告発生器４２０は違反又は潜在的な違反のいずれかのリストを含む違反報告を発生する。他の実施の形態においては、報告発生器は違反が起こった特定の番組セクションをリストにした報告、そして、可能であれば違反を引き起こしたダイアログ正規価値と比較したオーディオストリームの音量の指摘を生成することもある。
【００５３】
上記のように、違反モジュール４１０は、データログ４１２内に保存されたデータのいずれかを受信するように構成されている。違反モジュール４１０は、したがって、違反又は潜在的な違反の決定をするときに、それに対して利用可能なデータのいずれかを用いることができる。その上、報告発生器４２０は、データログ４１２から受信したいかなる情報も使用して発生された報告を作成することができる。ある実施の形態においては、報告はログされた情報を伴うビデオの小さな画像又はサムネイル画像を含むことがある。
【００５４】
違反モジュール４１０、報告発生器４２０のいずれかは専用のハードウェアによって実行することができ、又は、プロセッサー４９０において機能を行うことで達成することができる。そのような機能は関連したメモリ４８０内に保存されることもある。他の実施は、実施のために、ハードウェアとソフトウェアとプログラム可能な論理機器とデジタル信号プロセッサーなどの組み合わせを用いることができる。
【００５５】
上記のように、各実施の形態において、本発明の構成要素は、ハードウェア、ソフトウェア又はそれらの組み合わせによって実現可能であり、そして、汎用のマイクロプロセッサー、デジタル信号プロセッサー（ＤＳＰ）、特定用途向け集積回路（ＡＳＩＣ）、フィールドプログラマブルゲートアレイ（ＦＰＧＡ）その他をからなることがある。
【００５６】
本発明がビデオ検出において重要な進歩を示していることは前記説明から明らかである。本発明の特定の実施の形態が例示目的で図示及び記載されてきたが、本発明の精神や範囲を逸脱することなく、様々な改作がなされうることが理解されるでしょう。したがって、本発明は、添付の特許請求の範囲の記載を除いて、限定されるべきではない。
【符号の説明】
【００５７】
１１０…番組マルチプレクサ
１１２…コンテンツプロバイダー
１１４…ミックスローカル広告
１１６…タイムスタンプ及びタイムコードデータ
１２０…搬送ストリーム
１３０…プレイアウトリスト
１４０…インテグレーテッドレシーバーデコーダー又はセットトップボックス
１６０…ＲＦ変調器
１７０…音量測定及びログ器
１７２…ログファイル
１８０…ログ分析器
１８２…違反報告
３００…ログ発生器（音量データを評価するためのシステム）
３２０…音量測定器
３３０…周波数コントローラー
３４０…データロガー
３５０…周波数コントローラー
３８０…メモリ
３９０…プロセッサー
４００…データログ分析器
４１０…違反モジュール
４１２…データログ
４１４…ログされた被測定オーディオデータ
４２０…報告発生器
４３０…ショートターム測定値
４４０…ダイアログ正規化値
４５０…トゥルーピークレベル
４６０…タイムスタンプ
４７０…タイムコード情報
４８０…メモリ
４９０…プロセッサー
【図１】
2014087072.tif 000003
【図２】
2014087072.tif 000004
【図３】
2014087072.tif 000005
【図４】
2014087072.tif 000006
【外国語明細書】
2014087072.tif 000007
2014087072.tif 000008
2014087072.tif 000009
2014087072.tif 000010
2014087072.tif 000011
2014087072.tif 000012
2014087072.tif 000013
2014087072.tif 000014
2014087072.tif 000015
2014087072.tif 000016
2014087072.tif 000017
2014087072.tif 000018
2014087072.tif 000019
2014087072.tif 000020
2014087072.tif 000021
2014087072.tif 000022
2014087072.tif 000023
2014087072.tif 000024
2014087072.tif 000025